(57)【要約】【課題】発光している観察領域と、発光しないように遮光している非観察領域との境界を明確にすることができるフィルム観察装置を提供する。【解決手段】光源２と、光源２からの光を拡散する拡散板と、拡散板の発光面側に設けられている透明な観察面パネルと、被観察フィルムを観察するために発光させる観察領域Ａ１以外が発光しないように光源２からの光が遮光された非観察領域Ａ２を形成している遮光膜とを備えている。【選択図】      図１
2006164720.tif 000002
【特許請求の範囲】
【請求項１】
被観察フィルムを観察するためのフィルム観察装置において、光源と、光源からの光を拡散する拡散板と、前記被観察フィルムを観察するために発光させる観察領域以外が発光しないように前記光源からの光が遮光された非観察領域を形成している遮光膜と、を備えていることを特徴とするフィルム観察装置。
【請求項２】
前記遮光膜は印刷により形成されている請求項１に記載のフィルム観察装置。
【請求項３】
前記拡散板の発光面側に設けられて前記被観察フィルムが置かれる透明な観察面部材を備え、前記遮光膜は前記観察面部材と前記拡散板との間に配置されている請求項１又は２に記載のフィルム観察装置。
【請求項４】
前記遮光膜は前記観察面部材の光源側となる裏面に形成されている請求項３に記載のフィルム観察装置。
【請求項５】
前記観察面部材は、当該観察面部材の面内領域が前記観察領域と前記非観察領域とから成るよう構成されており、かつ、前記被観察フィルムが置かれる前記観察面部材の表面は平滑な平面により形成されている請求項３又は４に記載のフィルム観察装置。
【請求項６】
前記拡散板と前記観察面部材との間に当該拡散板を透過した光に作用する光学フィルムが配置されている請求項３〜５のいずれかに記載のフィルム観察装置。
【発明の詳細な説明】
【技術分野】
【０００１】
この発明は、Ｘ線写真フィルムやマンモグラフィ等の被観察フィルムを観察するためのフィルム観察装置に関するものである。
【背景技術】
【０００２】
フィルム観察装置は、観察対象である被観察フィルムの背後から光を照射して、フィルム上の像を観察するためのものである。
例えば、特許文献１には、金属性のケーシングと、ケーシングに覆いかぶさるよう配置されかつ正面に開口部（窓部）が形成された金属製のフレームと、そのフレームの開口部の内周凹溝に嵌め込まれた拡散板と、ケーシングに収容された光源とを備えた発光装置が記載されている。そして、光源により拡散板を発光させ、発光面となった拡散板の表面にＸ線写真フィルムをおいて、フィルムを観察している。
つまり、この発光装置は、拡散板のうちフレームの開口部内側の領域が、被観察フィルムを観察するために発光させている観察領域とされ、かつ、前記開口部を形成しているフレームの前壁が、非観察領域とされている。
【特許文献１】特開２００４−３９３９４号公報（図１５）
【発明の開示】
【発明が解決しようとする課題】
【０００３】
特許文献１に記載されている発光装置は、光源等を収容するケーシング以外に、ケーシングとほぼ同じ大きさのフレームを必要としており、部品点数が多く重量も増大し、構造が複雑であるという問題点を有している。また、拡散板をフレームの前記内周凹溝に嵌め込む作業は手間がかかり、製作工数が多くかかるという問題点を有している。
また、拡散板の周縁部がフレームの内周凹溝に挟まれた構造であるため、拡散板の表面と、フレームの前壁の表面との間に大きな段差が生じる。このため、拡散板の表面とフレームの前壁の表面とに跨って被観察フィルムを置くと、拡散板とフレームの前壁との境界部においてフィルムが浮いてしまい、その部分に映し出される像が暗くなってしまうという問題点を有している。さらに、被観察フィルムが拡散板の表面とフレームの開口部の前記内周凹溝との間に入り込んでしまい、被観察フィルムの着脱や被観察フィルムの位置移動の妨げとなっている。
【０００４】
この発明は、前記問題点に鑑みてなされたものであり、構造を簡素化でき、かつ、発光している観察領域と、発光しないように遮光している非観察領域との境界を明確にすることができるフィルム観察装置を提供することを目的とする。
【課題を解決するための手段】
【０００５】
前記目的を達成するためのこの発明のフィルム観察装置は、被観察フィルムを観察するためのフィルム観察装置において、光源と、光源からの光を拡散する拡散板と、前記被観察フィルムを観察するために発光させる観察領域以外が発光しないように前記光源からの光が遮光された非観察領域を形成している遮光膜とを備えていることを特徴としている。
このような構成のフィルム観察装置によれば、非観察領域を遮光膜により形成しているため、部品点数を減少でき、製品重量を増加させず、構造が簡素化される。つまり、従来では金属性のフレームの前壁により非観察領域を形成しているが、本発明によればそのフレームを不要とできる。また、薄い遮光膜によるため、観察領域と非観察領域との境界において大きな段差が生じず、観察領域と非観察領域との境界線を鮮明にすることができる。
【０００６】
前記遮光膜は印刷により形成されているのが好ましい。これにより、厚さの薄い遮光膜を形成することができる。また、簡単に低コストで遮光膜を設けることができ、製品の薄型化が可能となる。さらに、印刷部分の有無により観察領域と非観察領域との境界を形成するため、その境界線を鮮明にすることができる。
【０００７】
また、前記拡散板の発光面側に設けられて前記被観察フィルムが置かれる透明な観察面部材を備え、前記遮光膜は前記観察面部材と前記拡散板との間に配置されているのが好ましい。この構成によれば、観察面部材が保護部材（保護パネル）として機能するため、印刷により形成された遮光膜に被観察フィルムが接触して遮光膜に傷が付くことがなく、遮光部が剥がれることがない。さらに、被観察フィルムを置く観察面部材の表面が汚れても、その表面を簡単に清掃することができる。特に、その表面に対して清掃用の溶剤を使用しても、遮光膜は観察面部材の拡散板側に存在するため、溶剤が遮光膜に影響を与えることがない。従って、長期にわたってフィルム観察装置を使用することができる。
【０００８】
また、前記遮光膜は前記観察面部材の光源側となる裏面に形成されているのが好ましい。この構成によれば、例えば、拡散板と観察面部材とを、観察面部材のうち印刷が施されて非観察領域となる領域内に貼り付けた両面粘着テープにより、簡単に固定することができる。つまり、印刷による遮光膜により両面粘着テープを隠すことができ、観察面部材の表面側（正面）から両面粘着テープが見えることがない。さらに、拡散板と観察面部材との間において、観察面部材のうち印刷が施されて非観察領域となる領域内に、別の部材を配置させても、その部材を隠すことができる。
なお、別部材としては、例えばスペーサ（スペーサシート）がある。つまり、観察領域に光学フィルムを設けた場合に、その周囲の非観察領域にスペーサを設けることができる。そして、観察領域に対応する部分に光学フィルムを設けることにより、輝度を高めたり発光品位を向上させることができ、そして、光学フィルムの周囲に光学フィルムと同じ厚さのスペーサを設けることにより、拡散板と観察面部材との間に隙間が生じることがない。
【０００９】
また、前記観察面部材は、当該観察面部材の面内領域が前記観察領域と前記非観察領域とから成るよう構成されており、かつ、前記被観察フィルムが置かれる前記観察面部材の表面は平滑な平面により形成されているのが好ましい。この構成によれば、観察面部材の表面が平滑な平面であるため、観察領域と非観察領域との境界をより明確にすることができ、さらに、被観察フィルムを、従来のように観察領域と非観察領域との境界部分で浮かせることがない。従って、観察領域と非観察領域との境界部分に対応する被観察フィルム上の像についてもきれいに映し出すことができる。また、被観察フィルムを観察面部材の表面上で自在にスライドさせて移動させることができる。
さらに、観察面部材を表面から見て、発光する観察領域と、観察領域以外の領域が発光しないように遮光された非観察領域とが同一の面内領域において存在しているため、観察面部材の表面の全面を有効に利用することができる。つまり、観察面部材の表面上において被観察フィルムを移動させても、観察領域と非観察領域との境界部に対応する被観察フィルム上の像を常にきれいに映し出すことができる。
【００１０】
また、前記拡散板と前記観察面部材との間に当該拡散板を透過した光に作用する光学フィルムが配置されているのが好ましい。この構成によれば、拡散板を通過した光に対して、輝度上昇や発光品位を整える等の工学的作用を与えることができ、フィルム観察面の品位が向上する。さらに、光学フィルムは観察面部材により保護されるため、被観察フィルムの着脱等を行っても、光学フィルムの損傷を防止できる。
【発明の効果】
【００１１】
本発明のフィルム観察装置によれば、構造を簡素化させ、かつ、発光している観察領域と、発光しないように遮光している非観察領域との境界を明確にすることができ、その境界部近傍においても被観察フィルム上の像を明確に観察することができる。明暗のコントラストが良好で発光品位の良好な観察面を得ることができる。従って、濃度の高い被観察フィルムに対しても正確で精度の高い検診を行うことができる。
【発明を実施するための最良の形態】
【００１２】
以下、この発明の実施の形態について添付図面を参照しながら説明する。
図１は、本発明に係るフィルム観察装置の実施の一形態を示す正面図であり、図２はフィルム観察装置から後述する正面パネル構造体５を取り外した状態の正面図である。このフィルム観察装置は、光源２や点灯装置１２等が内部に設けられたケーシング３を備えている。ケーシング３は、矩形状の背面部３ａと、背面部３ａの各辺から正面側へ立設された側面部３ｂとを有しており、正面側が矩形状に開口している。そして、ケーシング３の側面部３ｂの正面側に、正面側の前記開口を塞ぐように、正面パネル構造体５が取り付けられている。正面パネル構造５が設けられているフィルム観察装置の正面部は、その一部領域がＸ線写真フィルムやマンモグラフィ等の被観察フィルムを観察するための観察領域（フィルム観察面）Ａ１となっている。観察領域Ａ１は光源２からの光によって発光し、この観察領域Ａ１に被観察フィルムを置くことで、被観察フィルムをクリアに観察することができる。
【００１３】
図３はフィルム観察装置の側面図であり、ケーシング３の下部には支持脚部６が設けられており、フィルム観察装置正面側が医師等のフィルム観察者と対向するようにフィルム観察装置を卓上等で縦置き状に自立させている。この支持脚部６は、縦置きしたフィルム観察装置の下部左右両側に取り付けられており、正面側と背面側に延びる延設部６ａ，６ｂを備えて、フィルム観察装置を卓上で安定して立てることができる。
【００１４】
図２に示すように、ケーシング３内部には、複数の線状光源２ａからなる光源２を備えた光源装置（ランプキット）８が設けられている。線状光源２ａは冷陰極管ランプとすることができる。光源装置８は、複数の線状光源２ａをこれらの長手方向両端で保持するとともに、光源２の背後に位置して光源２からの光を正面側へ反射する反射板９を有している。そして、この光源装置８全体をケーシング３（の背面部３ａ）に対して着脱できるように、光源装置８はケーシング３に対してネジ等で取り付けられている。したがって、光源２が劣化した場合には、光源装置８ごと交換すればよく、線状光源２ａを一本ずつ交換する場合に比べて、交換作業が容易になっている。
また、矩形状反射板９の４辺には、光源２の光が、ケーシング３内部の光源装置８以外の領域に漏れるのを防止して、かつ光を有効活用するための側面部１０，１１が設けられている。４つの側面部１０，１０，１１，１１のうち、線状光源２ａの長手方向両端に位置する側面部１０，１０は、線状光源２ａの保持部も兼ねており、線状光源２ａと平行な側面部１１，１１は、光の反射面となっている。
【００１５】
光源装置８は、ケーシング３の内部全体に位置しているのではなく、縦置き状態のケーシング３内部の上方側に偏って位置している。これにより、ケーシング３内部の下方範囲に、光源２の点灯装置（インバータ装置）１２や電源装置１３等の回路を配置するためのスペースが確保されている。比較的重量の大きい電源装置１３等をケーシング３下方に配置することで、縦置き状態での安定性が高まる。なお、ケーシング３の下方範囲には、光源装置８の交換方法を説明した説明ラベル１４が貼り付けられている。
【００１６】
前記正面パネル構造体５は、光源２からの光を拡散する拡散板２１を備えている。正面パネル構造体５は、ケーシング３の正面開口部を覆うようにケーシング３に取り付けられる。
拡散板２１は矩形状に形成されている。また拡散板２１はアクリル又はガラス製の乳半板が用いられており、光源２のランプイメージを緩和している。また、拡散板２１は、ケーシング３の正面開口部全体を覆うことができる大きさを有している。つまり、拡散板２１の輪郭形状とケーシング３の輪郭形状とは同一とされている。
【００１７】
さらに、この正面パネル構造体５には遮光膜（遮光層）２０が設けられている。遮光膜２０は、図１に示すように、被観察フィルムを観察するために発光させる観察領域Ａ１以外の領域が発光しないように遮光された非観察領域Ａ２を形成している。具体的に説明すると、遮光膜２０は光源２からの光を遮断するよう有色不透明の遮光面を面状の部材に対して印刷により形成している。この印刷された領域が非観察領域Ａ２となる。つまり、遮光膜２０（非観察領域Ａ２）は、面状の部材に対して、観察領域Ａ１となる光通過面を除く範囲に黒色のベタ印刷を施すことにより形成される。なお、本発明の印刷とは、一般的に知られているインクによる印刷の他、塗料による塗装を含む。また、この遮光膜２０の厚さは薄いのが好ましい。なお、印刷以外としては蒸着による金属膜が考えられる。
そして、遮光膜２０が形成されて非観察領域Ａ２となる領域における輝度は、１００ｃｄ／ｍ２以下とするのが好ましく、さらには、１５ｃｄ／ｍ２以下とするのがより好ましい。
【００１８】
そして、正面パネル構造体５において遮光膜２０を設ける位置、つまり印刷を施す面状の部材について説明すると、正面パネル構造体５は、図４の正面パネル構造体５の断面図に示すように、前記拡散板２１の正面側（発光面側）に設けられた観察面部材２４（以下、観察面パネル２４という）を有している。観察面パネル２４は被観察フィルムが表面２４ａに置かれる透明な平板部材であり、図５（ａ）に示すように拡散板２１と同じ大きさ、同じ輪郭形状とされている。そして、印刷による遮光膜２０は、図４に示すように、この観察面パネル２４と拡散板２１との間に配置されている。
さらに具体的に説明すると、拡散板２１の正面側に印刷を施して拡散板２１の正面側の面に遮光膜２０を形成してもよいが（図示せず）、図４に示すように遮光膜２０は観察面パネル２４の光源２側となる裏面２４ｂに形成されている。つまり、裏面２４ｂに印刷が施されている。
【００１９】
観察面パネル２４は、アクリル、ポリカーボネート、ポリエチレンテレフタレート、ポリメタクリル酸メチル樹脂、シクロオレフィンポリマ等の樹脂製やガラス等の無機材料とすることができ、透明板からなっている。また、被観察フィルムが置かれる表面２４ａが表面硬化処理（ハードコート処理）されている。そして、このパネル２４が正面パネル構造体５の最表面側（最も正面側）の部材（フロントパネル）となっている。
そして、観察面パネル２４の裏面２４ｂにおいて図１及び図５に示す破線のクロスハッチで示す範囲に印刷が施され、その範囲が非観察領域Ａ２となる。また、観察面パネル２４の裏面２４ｂで印刷されていない領域は光が通過（透過）して発光することができ、その領域が観察領域Ａ１となる。
【００２０】
被観察フィルムを観察するための観察領域Ａ１は、光源装置８にほぼ対応した領域（図１に示すように観察領域Ａ１が光源装置８よりもやや小さい）に位置するように、観察面パネル２４の上側寄りに位置されている。そして、観察領域Ａ１の左右両側と下方側とに非観察領域Ａ２が位置している。すなわち、図５に示すように、遮光膜２０の印刷面（遮光面）は、観察面パネル２４の裏面２４ｂにおいて、光通過面の上下左右の四方に額縁状に形成されており、光通過面の下方側にある印刷面部は左右両側の遮光面部よりも広めに形成されている。または図示しないが光通過面の上側には遮光面部を設けなくても良い。
【００２１】
また、図４に示すように、拡散板２１と観察面パネル２４との間に拡散板２１を透過した光に作用する光学フィルム２５が配置されている。光学フィルム２５は、光をフィルム観察装置の正面方向へ集光させて輝度を上昇させる集光特性を有するものであるのが好ましい。これにより正面方向への輝度が上昇し、高い輝度が要求される場合において光源数を増やす等の対策をとらなくても輝度を上昇させることができる。また、観察領域Ａ１（フィルム観察面）からの光が無指向性であると、フィルム観察装置の正面にいるフィルム観察者以外に、フィルム観察装置の近くにいる他者に対しても光が照射され、そのような他者に対して不必要に眩しさを感じさせてしまう。特に、高輝度化した場合には眩しさが重要な問題となる。
しかし、上記のように光がフィルム観察装置正面方向への指向性を持つと、フィルム観察者以外の他者が感じる眩しさが低減される。また、フィルム観察者にとっても、正面方向からある程度離れることで、簡単に眩しさから逃れることができるため、眩しさによる目の疲れを防止できる。
【００２２】
そして、光学フィルム２５は、例えば、拡散フィルム２２とプリズムフィルム２３との２枚から構成することができる。
拡散フィルム２２は、拡散板２１の表面に配置されており、拡散板２１を透過した光の輝度の均一化を更に図ることができ、また正面輝度の上昇も図ることができる。プリズムフィルム２３は、プリズム突条が線状光源２ａと平行となるように向けられて、拡散フィルム２２の正面側に重ねて配置されている。プリズムフィルム２３は、プリズム面を正面側に向けて配置されており、正面方向へ集光して正面輝度を上昇させることができる。そして、観察面パネル２４により光学フィルム２５を覆って保護している。
【００２３】
図５（ａ）に示すように、光学フィルム２５は観察面パネル２４よりも小さく、観察領域Ａ１に対応した位置に、観察領域Ａ１とほぼ大きさ（観察領域Ａ１よりもやや大）に形成されている。また、光学フィルム２５の位置と大きさは、光源装置８の位置と大きさにも対応している。
さらに、光学フィルム２５は、スペーサシート（以下、単に「スペーサ」ともいう）３０とともに、拡散板２１と観察面パネル２４との間に挟まれている。スペーサ３０は、拡散板２１又は観察面パネル２４と外周輪郭形状が同一形状とされ、光学フィルム２５を位置させる矩形の範囲Ｂを除去した矩形環状とされている。
【００２４】
スペーサシート３０は非観察領域Ａ２の位置に対応する配置とされ、スペーサシート３０は光学フィルム２５を前記範囲Ｂに配置させて光学フィルム２５と共に拡散板２１と観察面パネル２４との間に挟まれる。このスペーサシート３０は、２枚の光学フィルム２５の合計厚さとほぼ同一の厚みを有しており、光学フィルム２５が存在しない範囲において、拡散板２１と観察面パネル２４との間に隙間が生じないようにしている。また、スペーサシート３０により、光学フィルム２５の位置決めを行うことができる。さらに、拡散板２１と観察面パネル２４との間の隙間がスペーサシート３０で塞がれているため、正面パネル構造体５内部に粉塵等が侵入するのを防止できる。
【００２５】
観察面パネル２４は、正面からフィルム観察装置を見て、当該観察面パネル２４の面内領域が観察領域Ａ１と非観察領域Ａ２とから成るよう構成されている。つまり、観察面パネル２４は観察領域Ａ１よりも面積が大きくされている。そして、被観察フィルムが置かれる観察面パネル２４の表面２４ａは平滑な平面により形成されている。つまり、観察面パネル２４は、被観察フィルムを置くためだけの面を構成させるだけではなく、内側の拡散板２１、光学フィルム２５、スペーサシート３０を保護し、さらには、観察領域Ａ１と非観察領域Ａ２とを裏面２４ｂにおいて印刷の有無により区画し、かつ、化粧板としての役割も果たしている。従って、観察領域Ａ１の周囲に従来では額縁状に位置させる必要があった別部材のフレームが本発明では不要となり、正面開口を有するケーシング３に正面パネル構造体５を取り付けるだけで、観察領域Ａ１の周囲に額縁状の枠範囲（非観察領域Ａ２）が形成され、点灯装置１２等のケーシング３内部の部材を隠蔽することができる。これによりフィルム観察装置の構造を簡素化でき、部品点数を低減でき、低コストにてフィルム観察装置を作製することができる。
【００２６】
観察面パネル２４は、ケーシング３の正面開口全体を塞ぐことができるように大きく形成されているが、比較的高価な光学フィルム２５は、観察領域Ａ１に対応する大きさに小さく形成されており、光源装置８から照射され観察領域Ａ１を発光させるための光に光学的作用を与えるための最低限必要な大きさに抑えられている。
【００２７】
また、正面パネル構造体５の組み立てについて説明すると、正面パネル構造体５が拡散板２１と観察面パネル２４とから構成される場合、拡散板２１と観察面パネル２４との固定は、接着剤による接着や両面粘着テープによる接着とすることができる。
図６は、拡散板２１の上に光学フィルム２５とスペーサシート３０とが設けられた状態を示す正面パネル構造体５の分解図であり、図６に示すように、光学フィルム２５とスペーサシート３０が拡散板２１と観察面パネル２４との間に配置される場合、拡散板２１とスペーサシート３０との固定、拡散板２１と光学フィルム２５との固定、スペーサシート３０と観察面パネル２４との固定は、夫々、接着剤による接着や両面粘着テープによる接着とすることができる。なお、図６の二点鎖線で示す部位が接着剤や両面粘着テープの位置を示しており、一点鎖線で示す範囲が観察領域Ａ１に対応する範囲である。
【００２８】
つまり、非観察領域Ａ２となる領域に対応する面に両面粘着テープや接着剤を付すれば、印刷による遮光膜２０により、その両面粘着テープや接着剤を隠すことができる。さらにスペーサシート３０が透明でない材料であっても、スペーサシート３０を遮光膜２０により隠すことができる。
これにより、観察面パネル２４の表面２４ａ全面を突出部のない平滑な平面とすることができる。つまり、拡散板２１と観察面パネル２４等を積層させ、図示しないがボルトによりこれらを連結して正面パネル構造体５を構成させた場合、観察面パネル２４の表面２４ａにボルトの頭部が突出するが、両面粘着テープ又は接着剤によれば、突出部を無くすることができる。
なお、観察面パネル２４の厚さは限定されないが、例えば、１ｍｍ〜３ｍｍとしたり、８０μｍ〜１２０μｍと薄くすることができる。なお、薄くした場合は、観察面パネル２４が撓むのを防止するために、観察面パネル２４を光源２側の部材（拡散板２１又はスペーサシート３０）に、全周に沿って連続的又は全周に沿って間欠的に貼り付けて固定するのが好ましい。
【００２９】
また、図１と図３に示すように、縦置き状態のフィルム観察装置の上部には、フィルム固定具（クリップ部材）１９が設けられている。フィルム固定具１９は、下方に開口したフィルム差込口１９ａを有しており、この差込口１９ａから被観察フィルムを挿し込むと、フィルム固定具１９の内側面と正面パネル構造体５の表面とによって、被観察フィルムを挟持することができる。
【００３０】
また、図３に示すように、このフィルム観察装置が有するケーシング３の左側の側面部３ｂには、光源２の輝度を変更してフィルム観察領域Ａ１の明るさを調節するための調光ボリューム（調光操作部）１６と、フィルム観察装置の主電源となる電源スイッチ１７が設けられている。そして、このフィルム観察装置は、ケーシング３内に、調光ボリューム１６と接続されている調光装置２８を備えている。
調光装置２８は、図７に示すように、調光ボリューム１６（図３）と接続された可変抵抗器２６を有する１つの調光回路２７と、この調光回路２７と接続された１つの点灯装置（インバータ装置）１２と、１つの電源回路２９とを備えている。点灯装置１２は電源回路２９と接続され、電源回路２９は前記電源スイッチ１７を介して外部の電源側と接続されている。点灯装置１２は光源２の調光範囲を広くさせるためにＰＷＭ方式によって制御するよう構成されており、また、点灯装置１２は２０ｋＨｚ以上の高周波インバータとされており、光源２の点灯効率を向上させている。
【００３１】
そして、光源２は複数の線状光源（線状の冷陰極管）２ａから構成されており、全ての線状光源２ａの一端側は１台の点灯装置１２の高圧側端子と接続され、線状光源２ａの他端側は１つ共通するグランド基板に接続されて電気的、構造的に一体化され、グランド線を介して点灯装置１２と接続されている。
そして、調光ボリューム１６を調整して可変抵抗器２６の抵抗値を変化させることにより、無段階で光源２の輝度を変化させることができる。さらに、この１つの可変抵抗器２６の抵抗値を変化させることにより、全ての線状光源２ａを同じ光の強さに調光することができる。これにより、様々な種類の被観察フィルムに応じて適切な輝度の観察領域Ａ１を得ることができ、適切な明るさで観察することができる。また、観察しながら輝度を微調整することもでき、フィルムの観察部位に応じた明るさを得ることができる。つまり、被観察フィルムの撮影部位によっては、１枚のフィルム内において白い部分（光が抜ける部分）と暗い部分の両者を観察する必要があるが、白い部分を観察する場合は輝度を下げ、暗い部分を観察する場合は輝度を高めることができる。
【００３２】
図８は、調光装置２８の変形例を示す概略構成図であり、この調光装置２８は複数の点灯装置１２を有している。そして、複数本の線状光源２ａにより１組の光源群を構成し、複数組の光源群により光源２全体が構成されており、１つの光源群を１台の点灯装置１２に接続させている。そして、複数の点灯装置１２は１つの共通する調光回路２７と接続されており、この調光回路２７に１つの可変抵抗器２６が設けられている。この調光装置２８によれば、１台の点灯装置１２の容量を小さくすることができ、また、１つの可変抵抗器２６により全ての線状光源２ａを同じ光の強さに調光することができ、かつ、その調光が無段階とできる。
【００３３】
また図９は、調光装置２８の別の変形例を示す概略構成図であり、この調光装置２８は図７のものと調光回路２７が異なっており、この調光回路２７は可変抵抗器２６と直列接続させたスイッチ（マイクロスイッチ）３１が設けられている。このスイッチ３１は図３に示したフィルム固定具１９に設けられている。つまり、スイッチ３１はフィルム固定具１９の内側面に被観察フィルムが挿し入れられると作動して（ＯＮ状態となり）光源２を点灯させるよう構成されている。そして、調光回路２７が有する可変抵抗器２６により光源２の点灯時にのみ光源２の調光が可能となるよう構成されている。そして、被観察フィルムがフィルム固定具１９から取り外されると自動的にスイッチ３１がＯＦＦ状態となり光源２が消灯する。つまりこのスイッチ３１は、フィルム固定具１９に挿し込まれた被観察フィルムの上端と接触することにより位置変動して動作する機械的なものとできる。なお、スイッチ３１は一般的に使用されているものとでき、対象物の有無を検知して動作するものが適用できる。
【００３４】
図１０は、調光装置２８のさらに別の変形例を示す概略構成図であり、この調光装置２８は、図９に示した調光回路２７に抵抗器３２を有するバイパス回路を付加させたものである。つまり、直列接続させたスイッチ３１と可変抵抗器２６とに対して抵抗器３２を並列接続させている。つまりこのバイパス回路は調光回路２７を常時通電状態（ＯＮ状態）とさせるものであり、スイッチ３１がＯＦＦ状態とされている場合には点灯装置１２により光源２を低い輝度で常に点灯させている。そして被観察フィルムがフィルム固定具１９に挿し入れられてスイッチ３１がＯＮ状態となった場合には、前記輝度の低い点灯状態よりも高い輝度にて光源２を点灯させ、かつ可変抵抗器２６により光源２の調光が可能となる。この調光装置２８によれば、暗い診察室内にこのフィルム観察装置を設けることで、被観察フィルムがフィルム観察装置上に置かれていない状態で低い輝度でもって発光することができ、照明代わりとすることができ、診察室を真っ暗とさせない。
【００３５】
さらに、本発明の調光装置２８による観察領域Ａ１における無段階の輝度の調光範囲は、２５００ｃｄ／ｍ２〜２００００ｃｄ／ｍ２とされている。好ましくは、下限値が３０００ｃｄ／ｍ２とされ、上限値が１５０００ｃｄ／ｍ２とされている。つまり、通常のＸ線撮影フィルムを観る場合、２５００ｃｄ／ｍ２〜３５００ｃｄ／ｍ２程度の低い輝度が必要とされ、また、ＭＲＩフィルムや乳がん検診に用いられるマンモグラフィを観る場合、７０００ｃｄ／ｍ２以上の高い輝度が必要とされている。つまり、調光により、輝度を上記上限値付近に高くした場合には、マンモグラフィ、ＭＲＩフィルム等のフィルム濃度の高い被観察フィルムの観察を正確に行うことができる。また、輝度を上記下限値付近まで低くした場合には、フィルム濃度がさほど高くない通常のＸ線写真フィルムを観察するのに適した輝度となる。つまり、従来では高輝度用と低輝度用の２台のフィルム観察装置が必要とされていたが、本発明のフィルム観察装置によれば、必要輝度に応じて任意に調光できるため１台で済む。これにより、装置の設置スペースを小さくでき、かつ利用者は本発明のフィルム観察装置１台のみの購入でよい。
【００３６】
以上のように、このフィルム観察装置によれば、１台でＸ線写真フィルム用のシャウカステンとして、さらにマンモグラフィ、ＭＲＩ写真用の観察装置として機能させることができる。また、これら被観察フィルムを観察する場合、フィルムのわずかな濃淡の差や光点を観察するため、観察領域Ａ１が全面にわたって均一な輝度で発光している必要があり、かつ、発光している観察領域Ａ１と発光していない非観察領域Ａ２との境界線が鮮明であるのが好ましいが、本発明によればこれらを実現できる。
【００３７】
また、本発明のフィルム観察装置は、図示する形態に限らずこの発明の範囲内において他の形態のものであっても良い。遮光膜２０は、観察面パネル２４や拡散板２１に対して直接印刷を施しても（着色しても）よいが、薄いフィルムに印刷した印刷済みフィルムを遮光膜２０とし、この印刷済みフィルムを観察面パネル２４や拡散板２１に貼り付けてもよい。
また、図９と図１０に示した調光装置２８において、図８に示すように複数の点灯装置１２を用いたものとしてもよい。または、図示しないが輝度切り換えスイッチにより、高輝度と低輝度とを簡単に切り替えるよう調光回路２７を構成してもよい。
【図面の簡単な説明】
【００３８】
【図１】本発明に係るフィルム観察装置の実施の一形態を示す正面図である。
【図２】正面パネル構造体を取り外した状態のフィルム観察装置を示す正面図である。
【図３】フィルム観察装置の側面図である。
【図４】正面パネル構造体の断面図である。
【図５】正面パネル構造体の組立図である。
【図６】正面パネル構造体の組立図である。
【図７】調光装置の概略を示す構成図である。
【図８】調光装置の変形例を示す概略構成図である。
【図９】調光装置の別の変形例を示す概略構成図である。
【図１０】調光装置のさらに別の変形例を示す概略構成図である。
【符号の説明】
【００３９】
２  光源
２０  遮光膜
２１  拡散板
２４  観察面パネル
２５  光学フィルム
Ａ１  観察領域
Ａ２  非観察領域
【図１】
2006164720.tif 000003
【図２】
2006164720.tif 000004
【図３】
2006164720.tif 000005
【図４】
2006164720.tif 000006
【図５】
2006164720.tif 000007
【図６】
2006164720.tif 000008
【図７】
2006164720.tif 000009
【図８】
2006164720.tif 000010
【図９】
2006164720.tif 000011
【図１０】
2006164720.tif 000012